(57)【要約】【課題】省エネルギー制御を実施しても、設置環境に応じた快適性を維持すること。【解決手段】運転能力を抑える程度が多段階に設定される省エネ運転制御のうち、省エネルギー指令に応じた一の省エネ運転制御を選定する選定部１０２と、設置環境の重要度が高い室内機は、重要度が低い室内機より優先度を高く設定する優先度設定部１０３と、選定された省エネ運転制御に応じて決定される運転能力を抑える室内機を優先度の低く設定された室内機から順に選定し、選定された室内機を省エネ運転制御によって制御する制御部１０４とを備える。【選択図】図２
2017096529.tif 000002
【特許請求の範囲】
【請求項１】
複数の室内機を有する空気調和装置の制御装置であって、
運転能力を抑える程度が多段階に設定される省エネ運転制御のうち、省エネルギー指令に応じた一の前記省エネ運転制御を選定する選定手段と、
設置環境の重要度が高い前記室内機は、前記重要度が低い前記室内機より優先度を高く設定する優先度設定手段と、
選定された前記省エネ運転制御に応じて決定される運転能力を抑える前記室内機を、前記優先度の低く設定された前記室内機から順に選定し、選定された前記室内機を前記省エネ運転制御によって制御する制御手段とを具備する制御装置。
【請求項２】
前記省エネルギー指令に基づいて決定される目標電力値と、現在の電力値とに基づいて増減率を算出する算出手段を備え、
前記選定手段は、前記増減率と、現在の前記空気調和装置の運転状態を示す運転パラメータとに基づいて、前記省エネ運転制御を選定する請求項１に記載の制御装置。
【請求項３】
前記選定手段は、前記室外機の圧縮機の回転数に設定される所定回転数範囲ごとに、前記省エネ運転制御を設定する請求項１または請求項２に記載の制御装置。
【請求項４】
前記優先度設定手段は、所定間隔ごとに前記優先度を前記室内機に設定する請求項１から請求項３のいずれかに記載の制御装置。
【請求項５】
請求項１から請求項４のいずれかに記載の制御装置と、
室内機と、
室外機と
を備えた空気調和システム。
【請求項６】
複数の室内機を有する空気調和装置の制御方法であって、
運転能力を抑える程度が多段階に設定される省エネ運転制御のうち、省エネルギー指令に応じた一の前記省エネ運転制御を選定する第１工程と、
設置環境の重要度が高い前記室内機は、前記重要度が低い前記室内機より優先度を高く設定する第２工程と、
選定された前記省エネ運転制御に応じて決定される運転能力を抑える前記室内機を前記優先度の低く設定された前記室内機から順に選定し、選定された前記室内機を前記省エネ運転制御によって制御する第３工程とを有する制御方法。
【請求項７】
複数の室内機を有する空気調和装置の制御プログラムであって、
運転能力を抑える程度が多段階に設定される省エネ運転制御のうち、省エネルギー指令に応じた一の前記省エネ運転制御を選定する第１処理と、
設置環境の重要度が高い前記室内機は、前記重要度が低い前記室内機より優先度を高く設定する第２処理と、
選定された前記省エネ運転制御に応じて決定される運転能力を抑える前記室内機を前記優先度の低く設定された前記室内機から順に選定し、選定された前記室内機を前記省エネ運転制御によって制御する第３処理とをコンピュータに実行させるための制御プログラム。
【発明の詳細な説明】
【技術分野】
【０００１】
本発明は、制御装置、それを備えた空気調和システム、及び制御方法、並びに制御プログラムに関するものである。
【背景技術】
【０００２】
例えば、ビル用マルチエアコンは、複数の室内機が接続され、室内機毎に運転される。近年は、ビル用マルチエアコンの大能力化が進み、一つの冷媒系統に接続される室内機が数十台程度と多くなってきた。省エネの検討を進める上では、冷媒系統全体に対して一律に制御を実施するだけでなく、各室内機の運転状況等を考慮することが必要とされている。
下記特許文献１では、室内機の設定温度と吸い込み温度との差が大きい程優先順位を高くし、室温を設定温度に近い温度に維持することが開示されている。
【先行技術文献】
【特許文献】
【０００３】
【特許文献１】特開２００８−２４９２６４号公報
【発明の概要】
【発明が解決しようとする課題】
【０００４】
しかしながら、室内機が設置される環境は多様であり、空調負荷の大きな部屋や来賓室等の部屋は省エネのために空調能力を絞り過ぎることは望ましくないにも関わらず、上記特許文献１の方法では、室内機の設定温度と吸い込み温度との差に基づいて制御されるので、設置環境に無関係に空調が制限され、快適性が損なわれるという問題があった。
【０００５】
本発明は、このような事情に鑑みてなされたものであって、省エネルギー制御を実施しても、設置環境に応じて快適性を維持できる制御装置、それを備えた空気調和システム、及び制御方法、並びに制御プログラムを提供することを目的とする。
【課題を解決するための手段】
【０００６】
上記課題を解決するために、本発明は以下の手段を採用する。
本発明は、複数の室内機を有する空気調和装置の制御装置であって、運転能力を抑える程度が多段階に設定される省エネ運転制御のうち、省エネルギー指令に応じた一の前記省エネ運転制御を選定する選定手段と、設置環境の重要度が高い前記室内機は、前記重要度が低い前記室内機より優先度を高く設定する優先度設定手段と、選定された前記省エネ運転制御に応じて決定される運転能力を抑える前記室内機を、前記優先度の低く設定された前記室内機から順に選定し、選定された前記室内機を前記省エネ運転制御によって制御する制御手段とを具備する制御装置を提供する。
【０００７】
本発明によれば、運転能力を抑える程度が多段階に設定される省エネ運転制御のうち省エネルギー指令に応じた一の省エネ運転制御が選定され、選定された省エネ運転制御に応じて決定される運転能力を抑える室内機が、設置環境の重要度が高い室内機よりも設置環境の重要度が低い室内機から順に選定され、選定された室内機が、省エネルギー指令に応じた省エネ運転制御によって制御される。ここで、優先度とは、省エネルギー制御よりも快適性を維持させる制御を優先させる度合いである。
優先度が低く設定された室内機から順に省エネ運転制御をする室内機として選定され、選定された室内機に対して運転能力を抑える制御が行われるので、設置環境の重要度が高い室内機は、省エネ運転制御を遅らせたい室内機として優先度を高く設定しておくことにより、省エネ実施に伴って生じる快適性に対する影響を可及的に小さくできる。
なお、設置環境の重要度が高い室内機とは、例えば、空調負荷の大きな部屋、来賓室等の省エネのために運転能力（空調能力）を絞ることを望まない環境に設置される室内機である。
【０００８】
上記制御装置は、前記省エネルギー指令に基づいて決定される目標電力値と、現在の電力値とに基づいて増減率を算出する算出手段と、前記選定手段は、前記増減率と、現在の前記空気調和装置の運転状態を示す運転パラメータとに基づいて、前記省エネ運転制御を選定してもよい。
【０００９】
例えば、省エネ制御をする手段の一つとして低圧圧力を上昇させるということが考えられるが、圧縮機の回転数が下限値まで低下していると、低圧圧力を上げるだけではそれ以上圧縮機回転数が下がらないので省エネにつながらない場合がある。そのため、空気調和装置の運転状態（例えば、圧縮機の回転数等）を勘案することによって、確実に省エネとなる制御を選定することができる。
【００１０】
上記制御装置の前記選定手段は、前記室外機の圧縮機の回転数に設定される所定回転数範囲ごとに、前記省エネ運転制御を設定してもよい。
【００１１】
これにより、省エネ運転制御の設定を細やかに設定でき、消費電力に対する感度を細かく設定できる。
【００１２】
上記制御装置の前記優先度設定手段は、所定間隔ごとに前記優先度を前記室内機に設定してもよい。
【００１３】
制御開始当初は、負荷が大きな室内機は省エネ制御を行なわず（能力維持）、負荷が小さい室内機は省エネ制御を実施（能力抑制）するが、経時変化に伴って、省エネ制御が行われていない空調対象領域は徐々に設定温度に近づき、省エネ制御が行われている空調対象領域は徐々に設定温度から離れることになる。そのため、制御開始から所定時間経過後には、制御開始当初に省エネ制御が行われていなかった空調対象領域は、設定温度に近づいたことにより優先度が下げられ、省エネ制御が行われていた空調対象領域は、設定温度から乖離することにより優先度が上げられる。つまり室内機の優先度が変更されるので運転能力を抑える室内機として選定する対象の室内機も更新されることになる。このように室内機の優先度が所定間隔ごとに設定されることにより、運転能力を抑える室内機として選定する対象の室内機がローテーションされることになり、快適性への影響を可及的に抑えられ、快適性を継続させることができる。
【００１４】
本発明は、上記いずれかに記載の制御装置と、室内機と、室外機とを備えた空気調和システムを提供する。
【００１５】
本発明は、複数の室内機を有する空気調和装置の制御方法であって、運転能力を抑える程度が多段階に設定される省エネ運転制御のうち、省エネルギー指令に応じた一の前記省エネ運転制御を選定する第１工程と、設置環境の重要度が高い前記室内機は、前記重要度が低い前記室内機より優先度を高く設定する第２工程と、選定された前記省エネ運転制御に応じて決定される運転能力を抑える前記室内機を前記優先度の低く設定された前記室内機から順に選定し、選定された前記室内機を前記省エネ運転制御によって制御する第３工程とを有する制御方法を提供する。
【００１６】
本発明は、複数の室内機を有する空気調和装置の制御プログラムであって、運転能力を抑える程度が多段階に設定される省エネ運転制御のうち、省エネルギー指令に応じた一の前記省エネ運転制御を選定する第１処理と、設置環境の重要度が高い前記室内機は、前記重要度が低い前記室内機より優先度を高く設定する第２処理と、選定された前記省エネ運転制御に応じて決定される運転能力を抑える前記室内機を前記優先度の低く設定された前記室内機から順に選定し、選定された前記室内機を前記省エネ運転制御によって制御する第３処理とをコンピュータに実行させるための制御プログラムを提供する。
【発明の効果】
【００１７】
本発明は、省エネルギー制御を実施しても、設置環境に応じて快適性を維持できるという効果を奏する。
【図面の簡単な説明】
【００１８】
【図１】本発明の一実施形態に係る空気調和システムの構成を概略的に示した図である。
【図２】本発明の一実施形態に係る空気調和システムの省エネ制御装置の機能ブロック図である。
【図３】レベルとレベルに応じた省エネ運転制御を示す第１対応情報の一例である。
【図４】室外側コントローラにおける次のレベル決定を説明するための図である。
【図５】省エネ運転制御レベル別の電力マップの概略図を示している。
【図６】冷房運転時における圧縮機の回転数毎に設定された低圧圧力と高圧圧力との関係の一例である。
【図７】本発明の一実施形態に係る省エネ制御装置の優先度設定の動作フローである。
【発明を実施するための形態】
【００１９】
以下に、本発明の一実施形態に係る制御装置、それを備えた空気調和システム、及び制御方法、並びに制御プログラムについて図面を参照して説明する。
図１には、本実施形態に係る空気調和システム１の冷媒回路図が示されている。
図１に示されるように、空気調和システム１は、室外機２と、複数の室内機３Ａ，３Ｂとを備えており、冷凍サイクル（冷媒系統）７を構成している。本実施形態においては、室内機が２台であるマルチ型空気調和システムである場合を例に挙げて説明するが、これに限定されず、１台の室内機が１台の室外機と接続される空気調和システムであってもよいし、室内機が３台以上であってもよい。なお、以下室内機を区別しない場合には、室内機３として記載する。
室内機３Ａ，３Ｂは、室外機２から導出されるガス側配管４および液側配管５の間に分岐器６を介して互いに並列に接続されている。
【００２０】
室外機２は、冷媒を圧縮するインバータ駆動の圧縮機１０と、冷媒ガス中から潤滑油を分離する油分離器１１と、冷媒の循環方向を切換える四方切換弁１２と、冷媒と外気とを熱交換させる室外熱交換器１３と、室外熱交換器１３と一体的に構成されている過冷却コイル１４と、暖房用膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備えている。
【００２１】
圧縮機１０は、室外熱交換器１３からの低温低圧ガス冷媒を圧縮して高温高圧のガス冷媒を作り出すものであり、スクロール圧縮機が用いられるとよい。圧縮機１０の吸入側の冷媒系統には低圧センサ５１が設けられ、吐出側の冷媒系統には高圧センサ５２が設けられている。圧力センサ５１、５２の出力は、室外機２の室外側コントローラ２７へ出力される。
【００２２】
室外機２側の上記各機器は、冷媒配管２２を介して公知の如く接続され、室外側冷媒回路２３を構成している。また、室外機２には、ＤＣファンモータ２４で駆動され、室外熱交換器１３に対して外気を通風する室外ファン２５が設けられているとともに、油分離器１１と圧縮機１０の吸入配管との間に、油分離器１１内で吐出冷媒ガスから分離された潤滑油を所定量ずつ圧縮機１０側に戻すための油戻し回路２６が設けられている。更に、室外機２には、室外側コントローラ２７（詳細は後述する）が設けられる。
【００２３】
ガス側配管４および液側配管５は、室外機２のガス側操作弁２０および液側操作弁２１に接続される冷媒配管であり、現場での据え付け施工時に、室外機２とそれに接続される複数台の室内機３Ａ，３Ｂとの間の距離に応じて、その配管長が設定されるようになっている。ガス側配管４および液側配管５の途中には、適宜数の分岐器６が設けられ、該分岐器６を介して適宜台数の室内機３Ａ，３Ｂが接続されている。これによって、密閉された１系統の冷凍サイクル（冷媒回路）７が構成されている。
【００２４】
室内機３Ａ，３Ｂは、室内空気を冷媒と熱交換させて室内の空調に供する室内熱交換器３０と、冷房用膨張弁（ＥＥＶＣ）３１と、ＤＣファンモータ３２で駆動され、室内熱交換器３０を介して室内空気を循環させる室内ファン３３とを備えており、室内側の分岐ガス側配管４Ａ，４Ｂおよび分岐液側配管５Ａ，５Ｂを介して分岐器６に接続されている。また、室内機３Ａ，３Ｂには、冷房用膨張弁（ＥＥＶＣ）３１、室内ファン３３用のＤＣファンモータ３２等を制御する室内側コントローラ３４（詳細は後述する）が設けられている。なお、室内側コントローラ３４は、室外側コントローラ２７と接続されている。
室内側コントローラ３４は、例えば、マイクロコンピュータ等を内蔵し、冷凍サイクル７内の各センサや室外側コントローラ２７からのデータに基づいて冷凍サイクル７をそれぞれ制御する。
【００２５】
室外側コントローラ２７は、例えば、マイクロコンピュータ、揮発性メモリ、不揮発性メモリ等を内蔵し、圧縮機１０、四方切換弁１２、暖房用膨張弁（ＥＥＶＨ）１５、過冷却用膨張弁（ＥＥＶＳＣ）１８、室外ファン２５用のＤＣファンモータ２４等を制御している。例えば、室外側コントローラ２７は、室内側コントローラ３４から送られてくる各種指令や室内吸込み空気温度、設定室内温度等に基づいて、圧縮機１０の発停又はその回転数を制御することで冷凍能力を調整し、室内空気温度の制御を行うとともに、油戻し制御等を行う。また、マイクロコンピュータは、補助記憶装置に記録されたプログラムをＣＰＵが主記憶装置に読み出して実行することにより、各種機能を実現する。
【００２６】
室外側コントローラ２７は、省エネ制御部（制御装置）１００を具備している。省エネ制御部１００は、省エネルギーの程度に応じて選定される省エネ運転制御（制御項目）が多段階に設定されており、省エネルギー指令に応じた省エネ運転制御を、エネルギー抑制運転させる対象の室内機３に実施させる。以下では、（１）省エネ運転制御を選定すること、（２）エネルギー抑制運転をさせる対象の室内機を決めるための優先度を設定することについて、順に説明する。
【００２７】
具体的には、図２に示されるように、省エネ制御部１００は、算出部（算出手段）１０１、選定部（選定手段）１０２と、優先度設定部（優先度設定手段）１０３と、制御部（制御手段）１０４とを備えている。
【００２８】
〔省エネ運転制御を選定する〕
図３には、省エネルギーの程度（レベル）と、レベルに応じた省エネ運転制御を対応付けた第１対応情報の一例が示されている。本実施形態では、レベル０からレベル４を設定している。
例えば、レベル０はオリジナル、つまり、省エネルギーのための抑制運転は適用されずリモコン等の指示に従った制御である。レベル１は、レベル０より省エネさせる程度が高く、室内機３のファン風量を調整する。つまり、室内機３のファン風量を調整して低減させると、交換熱量が低減するので、室外機２に必要な能力が低減し、圧縮機１０の回転数が低下するので、結果として省エネにつながる。
【００２９】
レベル２は、レベル１より省エネさせる程度が高く、室内機３の電子膨張弁（冷房用膨張弁（ＥＥＶＣ）３１）の開度を調整する。つまり、室内機３の電子膨張弁開度を調整し、電子膨張弁を絞って冷媒循環量を低減させると、室外機２の圧縮機１０の回転数が低下するので、結果として省エネにつながる。
レベル３は、レベル２より省エネさせる程度が高く、室内機３のサーモオンを調整する。つまり、電子膨張弁を閉じて冷媒を流通させずに能力ダウンを図る。このとき、室内機３の風量ファンはオン状態とする。
【００３０】
レベル４は、レベル３より省エネさせる程度が高く、室内機３の運転を停止させ、能力ダウンを図る。このとき、室内機３の風量ファンはオフ状態とする。
なお、省エネ運転制御は、目標電力Ｗｔ以下をぎりぎりに維持するような制御が選択されると良い。これにより、過剰にエネルギー抑制運転をすることを防ぎ、快適性を維持した制御となる。
【００３１】
このように多段階にレベル分けされた省エネ運転制御は、以下の手順で選定される。
図４は、室外機２の室外側コントローラ２７における次のレベル決定を説明するための図である。室外側コントローラ２７の省エネ制御部１００は、目標電力Ｗｔの情報を取得すると、現時点の電力Ｗと、各種運転点の情報と、現在選定されている省エネ運転制御の実施レベルとの情報に基づいて、電力マップから次回実施されるレベルを決定する。
【００３２】
目標電力Ｗｔが現時点の電力Ｗより小さい場合には、次回は実施レベルを上げる方向（つまり、現在よりエネルギー抑制を行う）に制御され、目標電力Ｗｔが現時点の電力Ｗより大きい場合には、次回は実施レベルを下げる方向（つまり、現在よりエネルギー抑制を緩める）に制御される。このようなレベルの選定は、省エネ制御部１００が備える各部によって以下のように行われる。
【００３３】
算出部１０１は、省エネルギー指令に基づいて決定される目標電力値Ｗｔと、現在の電力値Ｗに基づいて、下記（１）式に従って増減率αを算出し、出力する。
増減率α＝（目標電力値Ｗｔ−現在電力Ｗ）／現在電力Ｗ・・・（１）
【００３４】
選定部１０２は、運転能力を抑える程度が多段階に設定される省エネ運転制御のうち、省エネルギー指令に応じた一の省エネ運転制御を選定する。具体的には、上記（１）式により求められた増減率αと、現在の空気調和装置の運転状態を示す運転パラメータとを勘案して、次回実施される省エネ運転制御（レベル）を選定する。運転パラメータは、現時点での圧縮機１０の回転数［ｒｐｓ］、高圧圧力ＨＰ、低圧圧力ＬＰ、冷房・暖房等の運転の種類等の運転点の情報である。
【００３５】
ここで、増減率αだけでなく、運転点を勘案する理由について説明する。
例えば、省エネルギー制御をする手段の一つとして低圧圧力ＬＰを上昇させるということが考えられるが、圧縮機１０の回転数が下限値まで低下していると、低圧圧力ＬＰを上げるだけではそれ以上圧縮機回転数が下がらないので省エネにつながらない場合がある。そのため、本実施形態においては、空気調和システム１の現在の運転点（例えば、冷房・暖房、圧縮機の回転数等）を勘案することによって、確実に省エネとなる制御を選定することができる。
【００３６】
図５は、省エネ運転制御レベル別の電力マップの概略図が示されている。
冷房・暖房の情報、圧縮機の回転数［ｒｐｓ］、高圧圧力ＨＰ、低圧圧力ＬＰ等を含む現時点の運転点と、現時点の省エネ運転制御レベルを基準とし、レベルを変更したときの電力変化率（増減率α）を満たすものが採用される。また、快適性を維持するために、適宜レベルを戻す（つまり、省エネレベルを低減させる）ことも必要である。
より具体的には、電力マップは、図６に示すように圧縮機１０の回転数毎に運転点の情報をマップ化させておくと良い。
【００３７】
図６には、冷房運転時における圧縮機１０の回転数毎に設定された低圧圧力ＬＰと高圧圧力ＨＰとの関係の一例が示されている。例えば、現在の圧縮機１０の回転数が３０［ｒｐｓ］とすると、図６の符号６０で示すグラフが選択され、図６の紙面左下部に示されるような図が得られる。図６の符号６１に示されるように、低圧圧力ＬＰと高圧圧力ＨＰとの関係において、それぞれの領域がエリア分けされている。
【００３８】
例えば、現在の圧縮機１０の低圧圧力ＬＰが０．７で、高圧圧力が２．１である場合には、太枠部分に着目される。太枠部分は図６の紙面右側に示されるように（符号６２参照）、当該太枠領域で設定される現時点を基準とするレベル情報が設定されており、各レベル別の相対的な増減率がマップ化されている。（１）式で求めた増減率αと、符号６２のマップの±ＸＸ情報との比較から、次の実施レベルを決定する。
このように、消費電力に対する感度が変動することに着目し、圧縮機１０の回転数毎に決められた電力マップを用いて、省エネルギー指令に応じた次のレベルが選定され、省エネ運転制御の一つが選定される。
【００３９】
〔室内機の優先度を設定する〕
上記により省エネ運転制御のレベルが決定されると、決定されたレベルに応じた省エネ運転制御を実施する対象の室内機３が優先度に応じて選定される。以下に、室内機３の優先度の設定について説明する。
優先度設定部１０３は、設置環境の重要度が高い室内機３は、重要度が低い室内機３より優先度を高く設定する。ここで、優先度とは、省エネルギー制御よりも快適性を維持させる制御を優先させる度合いである。
【００４０】
優先度は、設置環境の重要度のみに応じて設定されるのではなく、他にも室内機３の運転状態、室内状況、空調負荷、客先要望等によって設定される。このうち、運転状態や空調負荷等は、経時変化する項目であるため、時間の経過に併せて優先度も変更（更新）するとよい。例えば、優先度設定部１０３は、目標電力Ｗｔによる省エネルギー指令を取得している間は、所定間隔（例えば、３分）ごとに優先度を室内機３に設定する。
【００４１】
室内機３の運転状態は、例えば、（１）運転中室内機の方が停止中室内機より優先度が高く設定される、（２）冷暖房運転＞除湿＞送風の順で優先度が高く設定される、（３）サーモオンしている室内機の方が、サーモオフしている室内機より優先度が高く設定されるのがよい。
室内状況は、例えば、部屋の位置、窓の有無、窓の大きさ、換気の有無等に応じて優先度が設定される。部屋の位置については、方角によって日射量が異なるため、冷房運転の場合には、南側の部屋の方が北側の部屋より（快適性の）優先度が高く設定され、南側の部屋の快適性を維持させるように、南側より北側を優先的に省エネ運転制御する。
【００４２】
また、暖房運転の場合には、北側の部屋の方が南側の部屋より優先度が高く設定され、省エネ運転制御をする場合には、南側の部屋の方が北側の部屋より優先的に制御される。
また、配管長や建物の階に応じても優先度を異ならせるとよい。換気は、室内機３に設けられる換気であってもよいし、空気調和システム１とは別に設けられる換気であってもよい。
【００４３】
空調負荷は、設定温度と室内温度との差が大きいほど優先度が高く設定されるとよい。その他にも空調負荷は、例えば、サーモオンとサーモオフの割合、リモコン操作履歴、快適性指標等に応じて変動するものであり、これらに応じて優先度を異ならせてもよい。
客先要望は、例えば、部屋の用途、タイマ管理、季節・時刻・天候等に応じて優先度を異ならせる。部屋の用途は、来賓室、社長室、特別室等の設置環境の重要度が高い部屋であり、こうした重要度の高い部屋は優先度を高く設定し、快適性を優先するとよい。
【００４４】
ここで、図７を用いて、優先度の設定方法について説明する。また、以下の説明においては、冷房運転時である場合を例に挙げて説明する。
優先度設定のフローが開始されると、各室内機３が、サーモオン運転中（つまり、要求周波数＞０）か否かが判定される（図７のステップＳＡ１）。サーモオン運転中でない場合には（図７のステップＳＡ１のＮｏ）、省エネ制御の対象外とし、ステップＳＡ１に戻る（図７のステップＳＡ２）。
【００４５】
サーモオン運転中であると判定された場合には（図７のステップＳＡ１のＹｅｓ）、空調負荷の大きな部屋や特別室等の重要度の高い設置環境の室内機３であるか否かが判定される（図７のステップＳＡ３）。重要度の高い設置環境の室内機３である場合には（図７のステップＳＡ３のＹｅｓ）、優先度を最も高いであるＰｍａｘに設定し（図７のステップＳＡ４）、ステップＳＡ１０に進む。
【００４６】
重要度が高い設置環境の室内機３でない場合には（図７のステップＳＡ３のＮｏ）、冷房運転時においては、室温が所定室温と比較して所定温度低く、十分低温であれば、優先度は最も低いＰｍｉｎに設定させ、室温が所定温度と比較して所定温度高く、非常に高温であれば、Ｐｍａｘより１段階低い優先度であるＰ（ｍａｘ−１）に設定される（図７のステップＳＡ５）。
【００４７】
室内機３が起動直後（例えば、起動開始から１５分以内）であるか否かが判定される（図７のステップＳＡ６）。起動直後である場合には（図７のステップＳＡ６のＹｅｓ）、優先度が、Ｐ（ｍａｘ−１）よりも１段階低いＰ（ｍａｘ−２）と設定される（図７のステップＳＡ７）。一方、起動直後でないと判定された場合には（図７のステップＳＡ６のＮｏ）、設定温度と室温との差等である空調要求度に応じて、Ｐ（ｍａｘ−２）からＰｍｉｎの間で適宜優先度の設定がなされる（図７のステップＳＡ８）。起動直後か否かを判定する理由は、室内機３の起動直後は、ユーザが現在の設置環境の温度に満足していないため、温度変更を望んで操作したタイミングであることを勘案している。
【００４８】
日射負荷に関わる設置環境の方角（例えば、北、南等）や、換気の有無等を含む室内状況に応じて、Ｐ（ｍａｘ−２）からＰｍｉｎの間で適宜優先度の設定がなされる（図７のステップＳＡ９）。所定時間（例えば、３分）が経過したか否かが判定され、所定時間経過していなければ本判定を繰り返し（図７のステップＳＡ１０のＮｏ）、所定時間経過していれば（図７のステップＳＡ１０のＹｅｓ）、各室内機３に設定された優先度の情報を出力し（図７のステップＳＡ１１）、ステップＳＡ１に戻る。
このように、目標電力Ｗｔの省エネルギー指令を取得している間は、本処理を繰り返し、各室内機３の快適性維持の優先度の設定がなされ、制御部１０４に入力されたり、図示しない格納部等に格納される。
【００４９】
なお、繰り返し優先度を設定する理由は、制御開始当初は、負荷が大きな室内機３は省エネ制御を行なわず（能力維持）、負荷が小さい室内機３は省エネ制御を実施（能力抑制）するが、経時変化に伴って、省エネ制御が行われていない部屋（空調対象領域）は徐々に設定温度に近づき、省エネ制御が行われている部屋は徐々に設定温度から離れることになる。
【００５０】
そのため、制御開始から所定時間経過後には、制御開始当初に省エネ制御が行われていなかった部屋は、設定温度に近づいたことにより優先度が下げられ、省エネ制御が行われていた部屋は、設定温度から乖離することにより優先度が上げられることになる。すなわち、運転能力を抑える室内機３として選定する対象の室内機３は更新されることになる。
このように、所定間隔ごとに室内機３の優先度が繰り返し設定されることにより、運転能力を抑える室内機として選定する対象の室内機３がローテーションされることになり、快適性への影響を可及的に抑えられる。
【００５１】
制御部１０４は、選定された省エネ運転制御に応じて決定される運転能力を抑える室内機３を優先度の低く設定された室内機３から順に選定し、選定された室内機３を省エネ運転制御によって制御する。
【００５２】
以下に、省エネ制御部１００の作用について説明する。
省エネルギー指令として、目標電力Ｗｔの情報を取得すると、目標電力Ｗｔと現在の電力Ｗとから算出される増減率αと、各室内機３の各種運転点の情報と、現時点の省エネ運転制御（例えば、レベル１に対応する省エネ運転制御）と、電力マップとに基づいて、次の省エネ運転制御のレベル（例えば、レベル２）が選定される。
【００５３】
次の省エネ運転制御のレベル（例えば、レベル２）が設定されると、このレベルに対応する省エネ運転制御（例えば、室内機のＥＥＶ開度調整）が読み出される。読み出された省エネ運転制御によって、目標電力Ｗｔを達成するために、優先度の低いものから順に、省エネ運転制御の対象とする室内機が選定される。
選定された室内機３は、先に求めていた次のレベル（例えば、レベル２）に対応した省エネ運転制御がなされる。
【００５４】
こうした省エネ運転制御は目標電力Ｗｔによる省エネルギー指令を取得している間に繰り返し行われ、所定間隔ごとに優先度の情報が更新されることにより、省エネ運転制御の対象となる室内機３をローテーションさせながら、省エネ運転制御を行うことができる。また、重要度の高い設置環境の室内機３は、常に優先度が高く設定されるようになっているので、省エネ運転制御を行っても、重要度の高い設置環境の快適性は損なわれない。また、省エネ運転制御は、冷媒系統毎に行われる。
【００５５】
以上説明してきたように、本実施形態に係る空気調和システム１及びその制御装置、制御方法、並びに制御プログラムによれば、省エネ運転制御をする室内機３として優先度の低く設定された室内機３から順に選定され、選定された室内機３に対して運転能力を抑える制御が行われるので、設置環境の重要度が高い室内機３は、省エネ運転制御を遅らせたい室内機として優先度を高く設定しておくことにより、重要度の高い設置環境は、省エネ実施に伴って生じる快適性に対する影響を可及的に小さくできる。
【００５６】
また、省エネルギー指令の目標電力Ｗｔと現在の電力Ｗとの増減率αだけでなく、空気調和システム１の運転点を勘案するので、確実に省エネとなる制御を選定することができる。
また、圧縮機１０の回転数毎に決められた電力マップを設定しているので、省エネ運転制御の設定を細やかに設定でき、消費電力に対する感度を細かく設定できる。
また、室内機の優先度は、所定間隔ごとに設定されることにより、運転能力を抑える室内機として選定する対象の室内機がローテーションされることになり、快適性への影響を可及的に抑えられ、快適性を継続させることができる。
【００５７】
以上、本発明の実施形態について図面を参照して詳述してきたが、具体的な構成はこの実施形態に限られるものではなく、本発明の要旨を逸脱しない範囲の設計変更なども含まれる。例えば、図７における優先度の設定においては、冷房運転時を例に挙げて説明していたが、暖房運転時においても同様に優先度を設定することができる。ステップＳＡ５において室温判定を行うが、暖房運転時の場合には、室温が十分高ければＰｍｉｎを設定し、室温が非常に低ければＰ（ｍａｘ−１）と設定するとよい。
【符号の説明】
【００５８】
１  空気調和システム
１００  省エネ制御部（制御装置）
１０１  算出部
１０２  選定部
１０３  優先度設定部
１０４  制御部
【図１】
2017096529.tif 000003
【図２】
2017096529.tif 000004
【図３】
2017096529.tif 000005
【図４】
2017096529.tif 000006
【図５】
2017096529.tif 000007
【図６】
2017096529.tif 000008
【図７】
2017096529.tif 000009